(57)【要約】【課題】  アームレストを左右に揺らさずに安定的に所望の位置へ調整した後、アームレストを安定的に固定させることができる左右の幅が調整可能なアームレスト構造を提供する。【解決手段】  左右の幅が調整可能なアームレスト構造は、アームレストフレーム４、接合体５、位置規制体６、ネジ軸７、当接体８及び回転体９を備える。接合体５は、上から下方向にかけて結合孔５１が穿設され、底部に設けられた凹部５２の一方の側部に垂直面部５２１が設けられ、他方の側部に斜面部５２２が設けられている。      位置規制体６は、接合体５の底部に設けられた凹部５２の垂直面部５２１に接触する箇所が垂直面部６４に形成され、接合体５の底部に設けられた凹部５２の斜面部５２２に接触する箇所が同じ角度に形成された斜面部６５と、一方の端部に斜楕円溝が設けられ、斜楕円溝と連通した条孔６２が頂部及び底部に設けられている。【選択図】  図３
0003158321.tif 000002
【実用新案登録請求の範囲】
【請求項１】
アームレストフレーム、接合体、位置規制体、ネジ軸、当接体及び回転体を備える左右の幅が調整可能なアームレスト構造であって、
前記アームレストフレームは、横セクションの上面及び底面に条孔を有し、
前記接合体は、上から下方向にかけて結合孔が穿設され、底部に設けられた凹部の一方の側部に垂直面部が設けられ、他方の側部に斜面部が設けられ、
前記位置規制体は、前記接合体の底部に設けられた前記凹部の前記垂直面部に接触する箇所が垂直面部に形成され、前記接合体の底部に設けられた前記凹部の前記斜面部に接触する箇所が同じ角度に形成された斜面部と、一方の端部に斜楕円溝が設けられ、前記斜楕円溝と連通した条孔が頂部及び底部に設けられ、
前記アームレストフレームの前記横セクションを前記位置規制体の前記斜楕円溝に挿入し、前記アームレストフレームの前記条孔と前記位置規制体の前記条孔とを互いに位置合わせし、上から下方向にかけて前記接合体と、既に結合された前記位置規制体及び前記アームレストフレームと、前記当接体と、前記回転体とを前記ネジ軸に順次外嵌し、前記位置規制体の垂直面部及び斜面部は、それぞれ前記接合体の底部に設けられた前記凹部の前記垂直面部及び前記斜面部に合わせた後、互いに螺着させることを特徴とする左右の幅が調整可能なアームレスト構造。
【請求項２】
前記接合体の底部に設けた前記凹部の前記斜面部と前記垂直面部とにより、前記凹部内に配置された前記位置規制体の位置を拘束し、揺れずに安定的に変位させることを特徴とする請求項１に記載の左右の幅が調整可能なアームレスト構造。
【考案の詳細な説明】
【技術分野】
【０００１】
本考案は、左右の幅が調整可能なアームレスト構造に関し、さらに詳しくは、アームレストの左右の幅を揺らさずに安定的に調整することができる、左右の幅が調整可能なアームレスト構造に関する。
【背景技術】
【０００２】
図１に示すように、一般に市販されている椅子などでは、左右の幅が調整可能なアームレスト構造１は、接合体２に設けた接合孔２１に、アームレストフレーム１０の横セクション１０１が配置され、回転体３が結合されている。そして、アームレストフレーム１０を所望の位置に調整するには、回転体３を回して緩めた後、アームレストフレーム１０の左右の位置を所望の位置に調整して回転体３を回して締めようにしている。
【０００３】
このように従来の構造は、アームレストフレーム１０の左右の位置を調整するが、アームレストフレーム１０の横セクション１０１と、接合体２とを互いに当接させるだけの結合方式であるため、アームレストフレーム１０の横セクション１０１の固定が良好でなく、アームレストフレーム１０が左右に変位し、揺れる虞があった。
【考案の開示】
【考案が解決しようとする課題】
【０００４】
本考案の課題は、アームレストを左右に揺らさずに安定的に所望の位置へ調整した後、アームレストを安定的に固定させることができる左右の幅が調整可能なアームレスト構造を提供することにある。
【０００５】
本考案のもう一つの課題は、接合体の底部に設けた凹部が有する斜面部及び垂直面部に、位置規制体の斜面及び垂直面を接触させることにより、位置規制体を凹部内で移動させるときに、位置規制体の移動範囲を拘束し、揺れずに安定的に変位させることができる左右の幅が調整可能なアームレスト構造を提供することにある。
【課題を解決するための手段】
【０００６】
上記課題を解決するために、本考案の第１の形態によれば、アームレストフレーム、接合体、位置規制体、ネジ軸、当接体及び回転体を備える左右の幅が調整可能なアームレスト構造であって、前記アームレストフレームは、横セクションの上面及び底面に条孔を有し、前記接合体は、上から下方向にかけて結合孔が穿設され、底部に設けられた凹部の一方の側部に垂直面部が設けられ、他方の側部に斜面部が設けられ、前記位置規制体は、前記接合体の底部に設けられた前記凹部の前記垂直面部に接触する箇所が垂直面部に形成され、前記接合体の底部に設けられた前記凹部の前記斜面部に接触する箇所が同じ角度に形成された斜面部と、一方の端部に斜楕円溝が設けられ、前記斜楕円溝と連通した条孔が頂部及び底部に設けられ、前記アームレストフレームの前記横セクションを前記位置規制体の前記斜楕円溝に挿入し、前記アームレストフレームの前記条孔と前記位置規制体の前記条孔とを互いに位置合わせし、上から下方向にかけて前記接合体と、既に結合された前記位置規制体及び前記アームレストフレームと、前記当接体と、前記回転体とを前記ネジ軸に順次外嵌し、前記位置規制体の垂直面部及び斜面部は、それぞれ前記接合体の底部に設けられた前記凹部の前記垂直面部及び前記斜面部に合わせた後、互いに螺着させることを特徴とする左右の幅が調整可能なアームレスト構造が提供される。
【０００７】
また、本考案によれば、上記第１の形態において、前記接合体の底部に設けた前記凹部の前記斜面部と前記垂直面部とにより、前記凹部内に配置された前記位置規制体の位置を拘束し、揺れずに安定的に変位させることが好ましい。
【考案の効果】
【０００８】
本考案の左右の幅が調整可能なアームレスト構造は、以下（１）及び（２）の効果を有する。
（１）アームレストを左右に揺らさずに安定的に所望の位置へ調整した後、アームレストを安定的に固定させることができる。
（２）接合体の底部に設けた凹部が有する斜面部及び垂直面部に、位置規制体の斜面及び垂直面を接触させることにより、位置規制体を凹部内で移動させるときに、位置規制体の移動範囲を拘束し、揺れずに安定的に変位させることができる。
【図面の簡単な説明】
【０００９】
【図１】従来のアームレスト構造を示す斜視図である。
【図２】本考案の一実施形態によるアームレスト構造を示す斜視図である。
【図３】本考案の一実施形態によるアームレスト構造を示す分解斜視図である。
【図４】本考案の一実施形態によるアームレスト構造を示す分解斜視図である。
【図５】図２の線Ａ−Ａに沿った断面図である。
【図６】図２の線Ｂ−Ｂに沿った断面図である。
【図７】本考案の一実施形態による左右の幅が調整可能なアームレスト構造を操作するときの状態を示す断面図である。
【考案を実施するための最良の形態】
【００１０】
以下、本考案の実施形態について図２〜７に基づいて説明する。なお、これによって本考案が限定されるものではない。
【００１１】
図２〜図６に示すように、本考案の一実施形態による左右の幅が調整可能なアームレスト構造は、アームレストフレーム４、接合体５、位置規制体６、ネジ軸７、当接体８及び回転体（レバー）９を含む。アームレストフレーム４は、横セクション４１の上面及び底面の適宜な箇所に条孔４１１が設けられている。
【００１２】
接合体５は、受部状であって、プレート体５０の中心部分に上から下方向にかけて結合孔５１が穿設され、底部一方の側部に垂直面部５２１が設けられ、他方の側部に適宜な角度を有する斜面部５２２が設けられた凹部５２を有する。
【００１３】
位置規制体６は、接合体５の底部に設けられた凹部５２の垂直面部５２１に接触する垂直面部６４と、接合体５の底部に設けられた凹部５２の斜面部５２２に接触し同じ角度を有する斜面部６５と、アームレストフレーム４の接触端に設けられた横セクション４１が挿入される斜楕円溝６１とを有する。また、位置規制体６は、斜楕円溝６１と連通した条孔６２が頂部に設けられ、斜楕円溝６１と連通した逆Ｔ形条孔６３が底部に設けられている。
【００１４】
当接体８は、本体の上面及び底面に凸縁８１，８２がそれぞれ設けられ、本体の中心に貫通孔８３が設けられている。
【００１５】
本考案のアームレスト構造は、次のように組立てられる。まず、位置規制体６の斜楕円溝６１に、アームレストフレーム４の横セクション４１を挿入し、位置規制体６の上面に設けられた条孔６２及び底面に設けられた逆Ｔ形条孔６３に条孔４１１を位置合わせする。
【００１６】
次に、上から下方向にかけてナット１３、リング１１、接合体５の結合孔５１、位置規制体６の条孔６２、逆Ｔ形条孔６３、位置規制体６内のアームレストフレーム４の条孔４１１、当接体８の貫通孔８３及び回転体９の貫通孔９１に順次ネジ軸７を挿入し、接合体５の底部に設けられた凹部５２内に位置規制体６を配置し、接合体５の底部に設けた凹部５２の垂直面部５２１及び斜面部５２２に、位置規制体６の垂直面部６４及び斜面部６５をそれぞれ合わせてから、ネジ軸７の頂端に外嵌したナット１３を螺着し、上述した各部品を結合させる。
【００１７】
図６及び図７に示すように、実際に使用する際、回転体（レバー）９の端部を押圧すると、当接体８、リング１１及び位置規制体６が緩み、位置規制体６と接合体５との間に隙間が発生する。
【００１８】
これにより、位置規制体６の頂部に設けた条孔６２と、底部に設けた逆Ｔ形条孔６３と、アームレストフレーム４の左右の位置を同時に調整することができ、ネジ軸７により条孔４１１との可動範囲を拘束することができ、そして、アームレストフレーム４及び位置規制体６を所望の位置に調整した後、回転体（レバー）９を復位させると、当接体８、リング１１及び位置規制体６が再び当接し、位置規制体６と接合体５とを当接させることができる。これにより、アームレストフレーム４及び位置規制体６を所望の位置に調整し、固定することができる。
【００１９】
本考案の好適な実施形態を前述の通り開示したが、これらは決して本考案を限定するものではない。本考案の主旨を逸脱しない範囲内で各種の変更や修正を加えることができる。
【符号の説明】
【００２０】
１  アームレスト構造
２  接合体
３  回転体
４  アームレストフレーム
５  接合体
６  位置規制体
７  ネジ軸
８  当接体
９  回転体（レバー）
１０  アームレストフレーム
１１  リング
１３  ナット
２１  接合孔
４１  横セクション
５０  プレート体
５１  結合孔
５２  凹部
６１  斜楕円溝
６２  条孔
６３  逆Ｔ形条孔
６４  垂直面部
６５  斜面部
８１  凸縁
８２  凸縁
８３  貫通孔
９１  貫通孔
１０１  横セクション
４１１  条孔
５２１  垂直面部
５２２  斜面部
【図１】
0003158321.tif 000003
【図２】
0003158321.tif 000004
【図３】
0003158321.tif 000005
【図４】
0003158321.tif 000006
【図５】
0003158321.tif 000007
【図６】
0003158321.tif 000008
【図７】
0003158321.tif 000009